(57)【要約】【課題】商品詰まりを低減し、制作を容易に行うことができる商品送出装置を提供することを目的とする。【解決手段】前支柱２を廃止し、搬出通路カバー６と後支柱３に商品１０を収納する商品収納装置１を着脱自在に固定することにより、商品１０が商品収納装置１から搬出通路５へ送出される際に、商品１０の側面に隙間や端面７がないので、商品１０が引っかかることがなく、商品詰まりを減少させることができる。【選択図】図１
2012230459.tif 000002
【特許請求の範囲】
【請求項１】
複数段の商品収納装置と、前記商品収納装置に収納された商品を送出する商品送出装置と、収納された前記商品を搬出する搬出通路と、前記搬出通路を覆う搬出通路カバーと、後支柱を備えた商品搬出装置であって、前記商品収納装置を前記搬出通路カバーと前記後支柱に着脱自在に固定したことを特徴とする商品搬出装置。
【請求項２】
搬出通路カバーの垂直方向の端面が、前記商品収納装置の最前に収納された商品より後方に配置したことを特徴とする請求項１に記載の商品搬出装置。
【発明の詳細な説明】
【技術分野】
【０００１】
本発明は、自動販売機の商品搬出装置に関するものである。
【背景技術】
【０００２】
従来、この種の自動販売機は、前支柱と後支柱に複数段の商品の商品収納装置を備えており、前支柱の前方に、商品の搬出通路を形成している。搬出通路は、搬出通路カバーで覆われている（例えば、特許文献１参照）。
【０００３】
図３は、特許文献１に記載された従来の商品搬出通路と商品収納装置の側面図を示したものである。図３に示すように、商品収納装置１は、前支柱２と、後支柱３と、天板４と、搬出通路５と搬出通路カバー６、搬出通路カバー６の垂直方向の端面７、底板８から構成されている。
【０００４】
上記構成において、前支柱２と後支柱３と天板４と底板８が連結されており、前支柱２と後支柱３には、上下に複数段の商品の商品収納装置１が固定されている。商品収納装置１の前方の商品の搬出通路５は、搬出通路カバー６にて囲われている。
【先行技術文献】
【特許文献】
【０００５】
【特許文献１】特開２００９−２６６１６３号公報
【発明の概要】
【発明が解決しようとする課題】
【０００６】
しかしながら前記従来の構成では、搬出通路５を形成する搬出通路カバー６の垂直方向の端面７が、商品収納装置１の前端付近に近いため、商品が商品収納装置１から搬出通路５に送出される際に、搬出通路カバー６の端面７と前支柱２との隙間において、商品が引っかかり、搬出通路５に商品が搬出されないという課題を有していた。
【０００７】
本発明は前記従来の課題を解決するものであり、商品収納装置から搬出通路へ商品が送出される際の商品詰まりを低減するとともに、組み立てが容易で、製造コストを低減することができる商品搬出装置を提供することを目的とする。
【課題を解決するための手段】
【０００８】
前記従来の課題を解決するために、本発明の商品搬出装置は、複数段の商品収納装置と、前記商品収納装置に収納された商品を送出する商品送出装置と、収納された前記商品を搬出する搬出通路と、前記搬出通路を覆う搬出通路カバーと、後支柱を備えた商品搬出装置であって、前記商品収納装置を前記搬出通路カバーと前記後支柱に着脱自在に固定したものである。
【０００９】
これによって、商品収納装置から搬出通路へ商品が送出される際の商品詰まりの低減と製造コストを低減することができる。
【発明の効果】
【００１０】
本発明の商品搬出装置は、商品収納装置を搬出通路カバーと後支柱に着脱自在に固定したことにより、製造コストを低減するとともに、商品詰まりを低減させることができ、信頼性を高めることができる。
【図面の簡単な説明】
【００１１】
【図１】本発明の実施の形態１による商品搬出装置の側面図
【図２】本発明の実施の形態１による商品搬出装置の平面図
【図３】従来の自動販売機の側面図
【発明を実施するための形態】
【００１２】
請求項１に記載の発明は、複数段の商品収納装置と、前記商品収納装置に収納された商品を送出する商品送出装置と、収納された前記商品を搬出する搬出通路と、前記搬出通路を覆う搬出通路カバーと、後支柱を備えた商品搬出装置であって、前記商品収納装置を前記搬出通路カバーと前記後支柱に着脱自在に固定したものであり、前支柱がないため、商品収納装置から商品が搬出通路へ送出される際に、商品収納装置の側面に隙間が発生しないため商品が引っかかることなく送出され、商品収納装置での商品詰まりを低減することができるとともに、前支柱を廃止することで、搬出装置の部品数が少なく構成できるため、容易に組み立てられ、製作時間も短縮される。
【００１３】
請求項２に記載の発明は、請求項１に記載の発明において、搬出通路カバーの垂直方向の端面が、前記商品収納装置の最前に収納された商品より後方に配置したものであり、商品収納装置から商品が押しだされ、搬出通路側へ倒れ自由落下する際に、商品の側面に搬出通路カバーの端面が配置していないので、搬出通路カバーの端面に商品が引っかかることがなく、より商品収納装置での商品詰まりを低減することができる。
【００１４】
以下、本発明の実施の形態について、図面を参照しながら説明するが、従来技術と同一構成については同一符号を付して詳細な説明を省略する。なお、この実施の形態によってこの発明が限定されるものではない。
【００１５】
（実施の形態１）
図１は本発明の実施の形態１における商品搬出装置の側面図、図２は本発明の実施の形態１における自動販売機の商品搬出装置の平面図である。
【００１６】
図１および２において、天板４と底板８は搬出通路カバー６と後支柱３により連結され、商品収納部が設けられている。搬出通路カバー６と後支柱３には、上下に複数個の商品収納装置１が着脱自在に固定されている。商品収納装置１には、商品送出装置（スパイラル）９に商品１０が収納されている。
【００１７】
以上のように構成された自動販売機について、以下その動作、作用を説明する。
【００１８】
販売信号により、商品送出装置９が回転し、商品１０が前方に押し進められる。商品収納装置１の最前に収納されている商品１０は、商品収納装置１の前端より搬出通路５に倒れ下方へ自由落下し、搬出通路５の下方にある図に示されていないシュートを介して取出口へ送出される。
【００１９】
したがって、商品収納装置１に収納されている商品１０が前方に押し進められる場合に、商品の側面が挟まれるような隙間がないため、商品１０がひっかかり、送出されないということがない。
【００２０】
また、搬出通路カバー６の端面７は商品収納装置１の最前に充填されている商品１０より後方に配置しているため、商品収納装置１の前端より搬出通路５へ商品が自由落下する際に、商品の側面は、搬出通路カバー６で覆われているため、商品１０がひっかかることはない。
【産業上の利用可能性】
【００２１】
以上のように、本発明にかかる商品搬出装置は、構成部品が少なく、製造コストを低減するとともに、商品詰まりを減少させることができるため、商品搬出装置を備えたあらゆる種類の自動販売機器に適用できる。
【符号の説明】
【００２２】
１  商品収納装置
３  後支柱
６  搬出通路カバー
７  端面
８  底板
９  商品送出装置
１０  商品
【図１】
2012230459.tif 000003
【図２】
2012230459.tif 000004
【図３】
2012230459.tif 000005